(57)【要約】      （修正有）【課題】構造が間順で故障しにくく、もちろん維持管理に手間はかからない上、コストを大幅に低減してその普及に大きく寄与できる融雪剤散布機を提供する。【解決手段】この融雪剤散布機１１は、その前壁の下部に融雪剤散布口を設け、この融雪剤散布口には後壁側からおなじように傾斜して延長するよう張り出しプレート１６を取り付け、かつ前記前壁に沿って吐出量調整プレート１７を昇降自在に取り付けて前記融雪剤散布口を開閉自在とするとともに、該吐出量調整プレートに牽引索１８の端部を固定して、該牽引索を融雪剤散布機の上部に設けた雌ネジ状の牽引ガイド１９に装着した牽引ボルト２０の下端に連結し、他方、該牽引ボルトの上端には該牽引ボルトを回転操作するためのハンドル２１を取り付け、該ハンドルを操作して前記吐出量調整プレートを開閉することにより、トラックの走行に合わせて適宜の量の融雪剤を散布できるようにした。【選択図】図１
0003168095.tif 000002
【実用新案登録請求の範囲】
【請求項１】
トラックの荷台の幅寸法にほぼ等しい幅に形成し、上面には融雪剤補給口を設け、後面には前面に向かって下向きに傾斜する後壁を、前面にはほぼ垂直の前壁を取り付けた融雪剤散布機であって、
前記前壁には少なくともその下部に融雪剤散布口を設け、この融雪剤散布口には後壁側からおなじように傾斜して延長するよう張り出しプレートを取り付け、かつ前記前壁に沿って吐出量調整プレートを昇降自在に取り付けて前記融雪剤散布口を開閉自在とするとともに、該吐出量調整プレートに牽引索の端部を固定して、該牽引索を融雪剤散布機の上部に設けた雌ネジ状の牽引ガイドに装着した牽引ボルトの下端に連結し、他方、該牽引ボルトの上端には該牽引ボルトを回転操作するためのハンドルを取り付け、該ハンドルを操作して前記吐出量調整プレートを開閉することにより、トラックの走行に合わせて適宜の量の融雪剤を散布できるようにしたことを特徴とする融雪剤散布機。
【請求項２】
前記牽引索は、その両端を該吐出量調整プレート上部に所定の間隔で固定するとともに、前記間隔よりも長くしてあり、前記牽引ボルトの下端を前記牽引索の中間位置に連結して前記牽引索が逆Ｖ字状となるように構成したことを特徴とする請求項１記載の融雪剤散布機。
【請求項３】
前記融雪剤散布機の上面に設けた前記融雪剤補給口は、所定のメッシュサイズの受板が取り付けてあり、前記融雪剤補給口から投入される融雪剤を該受板部分で細かく分解して投入できるようにしたことを特徴とする請求項１記載の融雪剤散布機。
【考案の詳細な説明】
【技術分野】
【０００１】
この考案は、冬季における雪道や凍結した道路において、路面上にスリップ防止のために融雪剤を散布する際、トラック等の荷台に取付けて使用するようにした融雪剤散布機に関するものである。
【背景技術】
【０００２】
従来、雪道や凍結した道路においてはスタッドレスタイヤが装着されることとなっていたが、このスタッドレスタイヤによって路面が波打ったり、一方でツルツルのアイスバーン状態となり、自動車はもとより、歩行者がスリップする危険性が多分に生じてきた。
【０００３】
このスリップの危険性に対処するため、トラックによって路面に融雪剤を散布する方法が採用されているが、これに使用される融雪剤散布機は一般には、函体内に融雪剤を充填し、函体の下端部に取付けたプロペラの回転によって融雪剤を路面に散布する形式のものとなっており、トラックの後端部に装着するものであった。
例えばそのような方式として、特開２００２−１７３９２３号公報（特許文献１参照）に記載された、散布車本体に設置した凍結防止剤収容ホッパ内に収納している凍結防止剤を該収容ホッパの底部開口端から搬送コンベアによって散布車本体の後方に搬送し、該搬送コンベアからシュートを通じて散布車本体の後端に配設した散布装置により路面に凍結防止剤を散布するように構成した凍結防止剤散布車において、上記シュートの上部内に凍結防止剤破砕手段を配設した上、この粉砕手段によって細粒化された凍結防止剤を散布装置により散布するように構成したことを特徴とする凍結防止剤散布車がある。
【０００４】
それ以外の方式としては、次のような例が考案されている。
特開昭５９−１５８８１２号公報（特許文献２参照）には、自動事のタイヤ前方に逆三角形状の箱を取り付け、その下部の穴より融雪剤を路面に撒くような装置が記載されている。
実開平３−８６１２２号公報（特許文献３参照）には、散布すべき粉粒体を収容する容器本体と、容器本体に振動を与えるための振動体と、容器本体を走行車に吊下げ装備させる吊り具とからなり、
前記容器本体は底部に多数の散布孔を有するものであり、前記振動体は棒状を呈するとともに、前記容器本体に斜め下向きに取り付けられ、容器本体は、前記吊り具を用いて振動体の下端部が路面に当接し、摺勳することができる高さをもって走行車両に懸吊装備させたことを特徴とする融雪剤等の粉粒体散布装置が記載されている。
【０００５】
実用新案登録第３００２７３６号公報（特許文献４参照）には、荷台部分を後方に傾斜できるように形成したトラックの後端部に取付けるものであって、トラックの荷台の幅寸法に略等しい幅寸法の函体状に形成し、背面には荷台に開口する融雪剤補給用口を設け、下端部には横幅の大部分を占める横長状の融雪剤散布口を設け、この融雪剤散布口には左、右側部及び中央部にそれぞれ別個に融雪剤散布弁を取付けてあり、これら各融雪剤散布弁毎に開閉自在に形成してなる融雪剤散布装置が記載されている。
【０００６】
特開２００２−２２７１６１号公報（特許文献５参照）には、車両に路面凍結防止剤貯留用のホッパと、圧縮空気供給源とを積載する一方、一端を吸入口、他端を吐出口とする略円筒形状のエジェクタ本体の吐出口側を端部方向へ漸次大径となるようにテーパー状とし、エジェクタ本体の側面部には少なくとも１つ以上の圧縮空気導入口を備えると共に、エジェクタ本体よりやや小径の円筒形状の内管を前記エジェクタ本体内へ吸入口側より嵌入し、該内管は先端部が少なくとも前記圧縮空気導入口の位置よりも吐出口側に位置する長さとし、かつ内管の先端部外周面とエジェクタ本体の内周面との間に小隙間を形成してなるエジェクタを前記ホッパ下端の切り出し口に送出ホースを介して連結すると共に、エジェクタの圧縮空気導入口と前記圧縮空気供給源とを途中に開閉弁を介したエアホースにて連結し、圧縮空気の供給によってホッパの切り出し口から路面凍結防止剤を吸引してエジェクタの吐出口より散布するように構成したことを特徴とする路面凍結防止剤散布装置が記載されている。
【先行技術文献】
【特許文献】
【０００７】
【特許文献１】特開２００２−１７３９２３号公報
【特許文献２】特開昭５９−１５８８１２号公報
【特許文献３】実開平３−８６１２２号公報
【特許文献４】実用新案登録第３００２７３６号公報
【特許文献５】特開２００２−２２７１６１号公報
【考案の開示】
【考案が解決しようとする課題】
【０００８】
ところで、前記従来の融雪剤散布機では、圧縮空気やプロペラを回転することによって融雪剤を散布するため、散布された融雪剤の量にむらができ、余分な場所にも散布するため、融雪剤の量も多く必要とし、また散布中は埃が立ちやすく、一般車両に融雪剤がぶつかり苦情の原因となっている。
また、その他の従来型の融雪剤散布機においても、いずれも構造が複雑であって短期間のうちに故障がちとなり、維持管理に手間がかかる上、コストが大幅にアップしてしまうという問題があった。
【０００９】
この考案は前記事情にかんがみて開発されたものであり、融雪剤散布中に騒音や埃が立ちにくく、必要な部分だけを散布できて融雪剤の必要量も減少し、さらに融雪剤の補給が簡単かつスムースにできる等、構造が間順で故障しにくく、もちろん維持管理に手間はかからない上、コストを大幅に低減してその普及に大きく寄与できる融雪剤散布機を提供することを目的としている。
【課題を解決するための手段】
【００１０】
前記目的を達成するためにこの考案の融雪剤散布機は、トラックの荷台の幅寸法にほぼ等しい幅に形成し、上面には融雪剤補給口を設け、後面には前面に向かって下向きに傾斜する後壁を、前面にはほぼ垂直の前壁を取り付けた融雪剤散布機であって、
前記前壁には少なくともその下部に融雪剤散布口を設け、この融雪剤散布口には後壁側からおなじように傾斜して延長するよう張り出しプレートを取り付け、かつ前記前壁に沿って吐出量調整プレートを昇降自在に取り付けて前記融雪剤散布口を開閉自在とするとともに、該吐出量調整プレートに牽引索の端部を固定して、該牽引索を融雪剤散布機の上部に設けた雌ネジ状の牽引ガイドに装着した牽引ボルトの下端に連結し、他方、該牽引ボルトの上端には該牽引ボルトを回転操作するためのハンドルを取り付け、該ハンドルを操作して前記吐出量調整プレートを開閉することにより、トラックの走行に合わせて適宜の量の融雪剤を散布できるようにしたことを特徴とするものである。
【００１１】
この考案の融雪剤散布機において、前記牽引索は、その両端を該吐出量調整プレート上部に所定の間隔で固定するとともに、前記間隔よりも長くしてあり、前記牽引ボルトの下端を前記牽引索の中間位置に連結して前記牽引索が逆Ｖ字状となるように構成したことをも特徴とするものである。
【００１２】
この考案の融雪剤散布機において、前記融雪剤散布機の上面に設けた前記融雪剤補給口は、所定のメッシュサイズの受板が取り付けてあり、前記融雪剤補給口から投入される融雪剤を該受板部分で細かく分解して投入できるようにしたことをも特徴とするものである。
【考案の効果】
【００１３】
この考案によれば、融雪剤散布中に騒音や埃が立ちにくく、必要な部分だけを散布できて融雪剤の必要量も減少し、さらに融雪剤の補給が簡単かつスムースにできる等、構造が間順で故障しにくく、もちろん維持管理に手間はかからない上、コストを大幅に低減してその普及に大きく寄与できる融雪剤散布機を提供することが可能となった。
また融雪剤の散布の際には、トラックの走行中にトラックの荷台上においてハンドルを回転させるだけで簡単迅速に散布を行うことができ、また吐出量調整プレートが昇降自在となっているので、散布量を調整しながら融雪剤の散布を行うことができる等、作業効率の改善および作業環境の改善に大きく寄与することができる。
【図面の簡単な説明】
【００１４】
【図１】この考案の融雪剤散布機の１実施例を示す斜視図である。
【図２】受板（メッシュ）を示す平面図である。
【図３】この考案の融雪剤散布機の側面図である。
【図４】この考案の融雪剤散布機の操作状況を示す斜視図である。
【考案を実施するための形態】
【００１５】
以下、図１ないし図３に基いてこの考案の融雪剤散布機の実施の形態を詳細に説明する。
この考案の融雪剤散布機１１は、トラックの荷台の幅寸法にほぼ等しい幅に形成され、上面には融雪剤補給口１２が、また後面には前面に向かって下向きに傾斜する後壁１３が、そして前面にはほぼ垂直の前壁１４がそれぞれ取り付けてある。
図において、３１は底フレーム、３２は該底フレーム３１の一端から後傾するように立ち上げた斜めフレーム、３３は前記底フレーム３１と斜めフレーム３２との間に差し渡した支持フレームであり、前記斜めフレーム３２に沿って融雪剤散布機１１の後壁１３を取り付ければよい。
【００１６】
前記前壁１４には少なくともその下部に融雪剤散布口１５が設けられ、この融雪剤散布口１５には後壁１３側からおなじように傾斜して延長するよう張り出しプレート１６を取り付けてある。
そして、前記前壁１４に沿って所定幅の吐出量調整プレート１７を昇降自在に取り付けて前記融雪剤散布口１５を開閉自在とするとともに、該吐出量調整プレート１７には牽引索１８の端部を固定して、該牽引索１８を融雪剤散布機１１の上部に設けた雌ネジ状の牽引ガイド１９に装着した牽引ボルト２０の下端に連結する。
他方、該牽引ボルト２０の上端には該牽引ボルト２０を回転操作するためのハンドル２１を一体的に取り付けておき、該ハンドル２１を操作すれば牽引ボルト２０が牽引ガイド１９に沿って昇降する。このようにハンドル２１を操作して前記吐出量調整プレート１７を開閉することにより、トラックの走行に合わせて適宜の量の融雪剤を散布するのである。
【００１７】
図において雌ネジ状の牽引ガイド１９は上下に所定の間隔で一対配置しており、こうすれば長ナットに比べてネジの目詰まり等による故障がおきにくくなる。
また前記牽引ボルト２０と牽引索１８との連結は、該牽引索１８に金属製リングを取り付け、これを牽引ボルト２０の下端に回転自在にはめ込んでおけばよい。
なお、前記牽引索１８は、その両端を該吐出量調整プレート１７上部に所定の間隔で固定するとともに、前記間隔よりも長くしてある。したがって、前記牽引ボルト２０の下端を前記牽引索１８の中間位置に連結して牽引すれば、前記牽引索１８は逆Ｖ字状となって１つの牽引ボルト２０でバランスよく前記吐出量調整プレート１７を昇降させることができる。
【００１８】
前記融雪剤散布機１１の上面に設けた前記融雪剤補給口１２に、所定のメッシュサイズの受板２２を取り付けておけば、前記融雪剤補給口１２から投入される融雪剤を該受板２２部分で細かく分解しながら投入することができる。したがって、前記融雪剤散布機１１内に攪拌手段を設ける必要がない。
【００１９】
使用に際しては、予めトラックの荷台に融雪剤散布機１１を搭載し、固定用リング３４を用いてロープ等で荷台に固定しておき、融雪剤を融雪剤散布機１１の前記融雪剤補給口１２から補給しておく。
そして、図４に示すように、ハンドル２１を操作して前記吐出量調整プレート１７を上昇させ、融雪剤散布口１５を所定の高さまで開きながら、トラックの走行に合わせて適宜の量の融雪剤を車両の走行部分だけに散布すればよい。
もちろん、路面の積雪や凍結の程度に応じて前記吐出量調整プレート１７の開閉度合いをハンドル２１の操作で調整すれば、融雪剤の散布量を適宜調節することができる。
【００２０】
この考案の融雪剤散布機は、前壁や後壁、側壁等の各板状パーツを軽量な金属やＦＲＰ等を素材として用いることができ、その他のパーツも金属やＦＲＰ等の素材を目的や機能等に応じて適宜選択することができる。
また受板の素材としても金網や樹脂製の網、パンチングメタル、その他の材料から適宜選択することができる。
【産業上の利用可能性】
【００２１】
この考案の融雪剤散布機は、融雪剤として塩化カルシウムのみならず、その他の化学品や砂等を散布する場合においても使用することができる。
また、軽トラックのみならず、大型のダンプトラック等にもそのサイズを変えるだけで対応することが可能である。
【符号の説明】
【００２２】
１１  融雪剤散布機
１２  融雪剤補給口
１３  後壁
１４  前壁
１５  融雪剤散布口
１６  張り出しプレート
１７  吐出量調整プレート
１８  牽引索
１９  牽引ガイド
２０  牽引ボルト
２１  ハンドル
２２  受板
３１  底フレーム
３２  斜めフレーム
３３  支持フレーム
３４  固定用リング
【図１】
0003168095.tif 000003
【図２】
0003168095.tif 000004
【図３】
0003168095.tif 000005
【図４】
0003168095.tif 000006